(57)【要約】【解決手段】  カード用コネクタは、絶縁ハウジングと、絶縁ハウジングに対して組み付けられてその間にカード収容空間を作り出す金属カバーとを備え、金属カバーの後端面には、グランド接触部と、グランド接触部の近傍に位置する保持部とが形成され、金属カバーのグランド接触部は、金属カバーが絶縁ハウジングに組み付けられるとき、絶縁ハウジングのグランド端子配列部の開口内においてそこに配設されたグランド端子の金属カバー接触部と接触し、同時に、金属カバーの保持部が絶縁ハウジングの係止部と係合する。【効果】  コネクタの外形寸法を増すことなく、信頼性の高い金属カバーとグランド端子との電気的接触を達成することができる。【選択図】          図２
2006059692.tif 000002
【特許請求の範囲】
【請求項１】
信号端子およびグランド端子を配設する絶縁ハウジングと、該絶縁ハウジングに対して組み付けられ該絶縁ハウジングとの間にカード収容空間を作り出す金属カバーとを備え、前記カード収容空間へ前端からカードが挿入されるとき該カードの一面に配設された信号接触部およびグランド接触部がそれぞれ対応する前記信号端子およびグランド端子と接触させられるようにしたカード用コネクタにおいて、
前記絶縁ハウジングの後端部には、前記信号およびグランド端子を配設する信号端子配列部と前記グランド端子配列部とが設けられており、
前記グランド端子は、前記グランド端子配列部において前記絶縁ハウジングの後端面近くに配置され、該コネクタを実装する回路基板のグランド導体に接続される接続部と、該接続部から前記カード収容空間内前方に向かって延びる弾性腕部と、該弾性腕部の先端部にあって前記カードのグランド接触部に接触するカード接触部とを有しており、前記弾性腕部と前記接続部との間には、前記グランド端子配列部における前記絶縁ハウジングの後端面の近傍に位置しうるように金属カバー接触部が与えられており、
前記金属カバーの後端面には、グランド接触部と、該グランド接触部の近傍に位置する保持部とが形成されており、
前記金属カバーの前記グランド接触部は、前記金属カバーの上面近くから下方に延びる弾性腕部と、該弾性腕部の下端部に設けられた接触部とを有しており、
前記金属カバーの前記保持部は、前記金属カバーの上面近くから下方に延びる保持腕部と、該保持腕部に設けられた係合部とを有しており、
前記金属カバーが前記絶縁ハウジングに対して組み付けられるとき、前記金属カバーの前記グランド接触部の前記接触部が対応する前記グランド端子の前記金属カバー接触部と接触し、前記金属カバーの前記保持部の前記係合部が前記絶縁ハウジングの対応する位置に設けられた係止部と係合する、
ことを特徴とするカード用コネクタ。
【請求項２】
前記金属カバーの前記保持部は、該金属カバーの前記グランド接触部の両側に設けられている請求項１に記載のカード用コネクタ。
【請求項３】
前記絶縁ハウジングの対応する位置に設けられた係止部は、前記絶縁ハウジングの前記信号端子配列部の開口内に設けられており、前記グランド端子の前記金属カバー接触部は、湾曲部とされており、前記金属カバーの前記グランド接触部は、前記絶縁ハウジングの前記グランド端子配列部の前記開口内へと入り込んで前記グランド端子の前記金属カバー接触部の前記湾曲部と接触する湾曲接触部とされている請求項１または２に記載のカード用コネクタ。
【請求項４】
前記絶縁ハウジングの対応する位置に設けられた係止部は、前記絶縁ハウジングの前記信号端子配列部の開口内に設けられており、前記グランド端子の前記金属カバー接触部には、係止作用部が形成されており、前記金属カバーの前記グランド接触部の前記接触部は、前記絶縁ハウジングの前記グランド端子配列部の前記開口内へと入り込んで前記グランド端子の前記金属カバー接触部と接触するＬ字状接触部とされており、該Ｌ字状接触部には、前記金属カバー接触部の前記係止作用部に係合する係合作用部が形成されている請求項１または２に記載のカード用コネクタ。
【請求項５】
前記金属カバーは、該金属カバーの前記グランド接触部の前記接触部が前記グランド端子配列部の前記開口内に後方から入り込みそこに配設された前記グランド端子の前記金属カバー接触部に押し付けられ、同時に、該金属カバーの前記保持部の前記係合部が前記信号端子配列部の前記開口内に後方から入り込みそこに設けられた前記係止部と係合するようにして、前記絶縁ハウジングに対して斜めに組み合わせ、その後前記絶縁ハウジングの上面へと回動させることにより、前記絶縁ハウジングに対して組み付けられ、前記金属カバーの前記保持部の前記係合部は、前記保持腕部の先端側面から前記絶縁ハウジングの前記信号端子配列部の前記開口内へと延びてそこに設けられた前記係止部と係合しうるものとされている請求項３または４に記載のカード用コネクタ。
【請求項６】
前記絶縁ハウジングの対応する位置に設けられた係止部は、前記絶縁ハウジングの前記後端面に設けられた係止突起であり、前記グランド端子の前記金属カバー接触部は、湾曲部とされており、前記金属カバーの前記グランド接触部の前記接触部は、前記絶縁ハウジングの前記グランド端子配列部の前記開口内へと入り込んで前記グランド端子の前記金属カバー接触部の前記湾曲部と接触する湾曲接触部とされており、前記金属カバーの前記保持部の前記係合部は、前記絶縁ハウジングの前記後端面に設けられた前記係止突起に係合する係止穴である請求項１または２に記載のカード用コネクタ。
【請求項７】
前記金属カバーは、該金属カバーの前記グランド接触部の前記接触部が前記グランド端子配列部の前記開口内に後方から入り込みそこに配設された前記グランド端子の前記金属カバー接触部に押し付けられ、同時に、該金属カバーの前記保持部の前記係止穴が前記絶縁ハウジングの前記後端面に設けられた前記係止突起に係合するようにして、前記絶縁ハウジングに対して上方から押し込むようにすることにより、前記絶縁ハウジングに対して組み付けられる請求項６に記載のカード用コネクタ。
【請求項８】
前記グランド端子には、前記弾性腕部の後端において前記金属カバー接触部の両側に位置規制部が設けられている請求項１から７のうちのいずれか１項に記載のカード用コネクタ。
【請求項９】
前記グランド端子の前記弾性腕部およびカード接触部は、前記カード収容空間を挟んで前記金属カバーとは反対の側にそって延びている請求項１から８のうちのいずれか１項に記載のカード用コネクタ。
【発明の詳細な説明】
【技術分野】
【０００１】
本発明は、カード用コネクタに関するものであり、特に、小型メモリーカード用コネクタに関するものである。
【背景技術】
【０００２】
この種の従来のカード用コネクタとしては、信号端子とグランド端子とを配設した絶縁ハウジングと、この絶縁ハウジングの外部を覆う金属カバーとを備え、グランド効果を高めるために、絶縁ハウジングのカード収容空間へカードが挿入されるときに、カードのグランド面が金属カバーを介してグランド端子に電気的に接続されるようにしたものがある。特開平１０−３２０４７号公報には、このような従来のＩＣカード用コネクタの一例が開示されている。
【０００３】
【特許文献１】特開平１０−３２０４７号公報
【発明の開示】
【発明が解決しようとする課題】
【０００４】
前述した従来のカード用コネクタのグランド端子構造にあっては、ばねによる弾性接触または永久接触により確実に接続させる構造となっているため、ばね性を持たせるのに、どうしても外形が大きくなる。ばね圧によって変形を発生させてしまう。或いは、組立工程が煩雑になる。というような問題点があった。
【０００５】
本発明の目的は、このような従来の問題点を解消しうるカード用コネクタ、特に、小型メモリーカード用として適したコネクタを提供することである。
【課題を解決するための手段】
【０００６】
本発明によれば、信号端子およびグランド端子を配設する絶縁ハウジングと、該絶縁ハウジングに対して組み付けられ該絶縁ハウジングとの間にカード収容空間を作り出す金属カバーとを備え、前記カード収容空間へ前端からカードが挿入されるとき該カードの一面に配設された信号接触部およびグランド接触部がそれぞれ対応する前記信号端子およびグランド端子と接触させられるようにしたカード用コネクタにおいて、前記絶縁ハウジングの後端部には、前記信号およびグランド端子を配設する信号端子配列部と前記グランド端子配列部とが設けられており、前記グランド端子は、前記グランド端子配列部において前記絶縁ハウジングの後端面近くに配置され、該コネクタを実装する回路基板のグランド導体に接続される接続部と、該接続部から前記カード収容空間内前方に向かって延びる弾性腕部と、該弾性腕部の先端部にあって前記カードのグランド接触部に接触するカード接触部とを有しており、前記弾性腕部と前記接続部との間には、前記グランド端子配列部における前記絶縁ハウジングの後端面の近傍に位置しうるように金属カバー接触部が与えられており、前記金属カバーの後端面には、グランド接触部と、該グランド接触部の近傍に位置する保持部とが形成されており、前記金属カバーの前記グランド接触部は、前記金属カバーの上面近くから下方に延びる弾性腕部と、該弾性腕部の下端部に設けられた接触部とを有しており、前記金属カバーの前記保持部は、前記金属カバーの上面近くから下方に延びる保持腕部と、該保持腕部に設けられた係合部とを有しており、前記金属カバーが前記絶縁ハウジングに対して組み付けられるとき、前記金属カバーの前記グランド接触部の前記接触部が対応する前記グランド端子の前記金属カバー接触部と接触し、前記金属カバーの前記保持部の前記係合部が前記絶縁ハウジングの対応する位置に設けられた係止部と係合する、ことを特徴とするカード用コネクタが提供される。
【０００７】
本発明の一つの実施の形態によれば、前記金属カバーの前記保持部は、該金属カバーの前記グランド接触部の両側に設けられている。
【０００８】
本発明の別の実施の形態によれば、前記絶縁ハウジングの対応する位置に設けられた係止部は、前記絶縁ハウジングの前記信号端子配列部の開口内に設けられており、前記グランド端子の前記金属カバー接触部は、湾曲部とされており、前記金属カバーの前記グランド接触部は、前記絶縁ハウジングの前記グランド端子配列部の前記開口内へと入り込んで前記グランド端子の前記金属カバー接触部の前記湾曲部と接触する湾曲接触部とされている。
【０００９】
本発明のさらに別の実施の形態によれば、前記絶縁ハウジングの対応する位置に設けられた係止部は、前記絶縁ハウジングの前記信号端子配列部の開口内に設けられており、前記グランド端子の前記金属カバー接触部には、係止作用部が形成されており、前記金属カバーの前記グランド接触部の前記接触部は、前記絶縁ハウジングの前記グランド端子配列部の前記開口内へと入り込んで前記グランド端子の前記金属カバー接触部と接触するＬ字状接触部とされており、該Ｌ字状接触部には、前記金属カバー接触部の前記係止作用部に係合する係合作用部が形成されている。
【００１０】
本発明のさらに別の実施の形態によれば、前記金属カバーは、該金属カバーの前記グランド接触部の前記接触部が前記グランド端子配列部の前記開口内に後方から入り込みそこに配設された前記グランド端子の前記金属カバー接触部に押し付けられ、同時に、該金属カバーの前記保持部の前記係合部が前記信号端子配列部の前記開口内に後方から入り込みそこに設けられた前記係止部と係合するようにして、前記絶縁ハウジングに対して斜めに組み合わせ、その後前記絶縁ハウジングの上面へと回動させることにより、前記絶縁ハウジングに対して組み付けられ、前記金属カバーの前記保持部の前記係合部は、前記保持腕部の先端側面から前記絶縁ハウジングの前記信号端子配列部の前記開口内へと延びてそこに設けられた前記係止部と係合しうるものとされている。
【００１１】
本発明のさらに別の実施の形態によれば、前記絶縁ハウジングの対応する位置に設けられた係止部は、前記絶縁ハウジングの前記後端面に設けられた係止突起であり、前記グランド端子の前記金属カバー接触部は、湾曲部とされており、前記金属カバーの前記グランド接触部の前記接触部は、前記絶縁ハウジングの前記グランド端子配列部の前記開口内へと入り込んで前記グランド端子の前記金属カバー接触部の前記湾曲部と接触する湾曲接触部とされており、前記金属カバーの前記保持部の前記係合部は、前記絶縁ハウジングの前記後端面に設けられた前記係止突起に係合する係止穴である。
【００１２】
本発明のさらに別の実施の形態によれば、前記金属カバーは、該金属カバーの前記グランド接触部の前記接触部が前記グランド端子配列部の前記開口内に後方から入り込みそこに配設された前記グランド端子の前記金属カバー接触部に押し付けられ、同時に、該金属カバーの前記保持部の前記係止穴が前記絶縁ハウジングの前記後端面に設けられた前記係止突起に係合するようにして、前記絶縁ハウジングに対して上方から押し込むようにすることにより、前記絶縁ハウジングに対して組み付けられる。
【００１３】
本発明のさらに別の実施の形態によれば、前記グランド端子には、前記弾性腕部の後端において前記金属カバー接触部の両側に位置規制部が設けられている。
【００１４】
本発明のさらに別の実施の形態によれば、前記グランド端子の前記弾性腕部およびカード接触部は、前記カード収容空間を挟んで前記金属カバーとは反対の側にそって延びている。
【発明を実施するための最良の形態】
【００１５】
次に、添付図面に基づいて、本発明の実施の形態および実施例について、本発明をより詳細に説明する。
【００１６】
図１は、本発明の一実施例としての小型メモリーカード用コネクタの構造を示す分解部品配列斜視図であり、図２は、図１の小型メモリーカード用コネクタの組立て完了状態を示す斜視図である。これら図１および図２によく示されるように、この小型メモリーカード用コネクタ１は、主として、絶縁ハウジング３と、この絶縁ハウジング３に取り付けられる信号端子２１およびグランド端子２２と、金属カバー５とを備えており、更に、カードの挿抜制御部材としての、例えば、インジェクター７１、ピン７２、スプリング７３およびロック金具７４を備えてなる。なお、カードの挿抜制御部材については、既によく知られた構造のものでよいので、ここでは、これ以上詳述しない。
【００１７】
絶縁ハウジング３は、例えば、樹脂の成形によって製造されている。絶縁ハウジング３の上面３１と前端面３２は開放状態とされている。絶縁ハウジング３のこの開放上面３１は、金属カバー５によって実質的に覆われ、このとき、絶縁ハウジング３の下面３３と金属カバー５との間には、カード収容空間３６が形成される。絶縁ハウジング３に金属カバー５を固定するため、絶縁ハウジング３の両側面３０には、傾斜面付突起部３４が形成され、金属カバー５の両側面５３の対応する位置には、固定穴５４が形成されている。図２に示されるように、金属カバー５を絶縁ハウジング３に対して組み合わせて、各対応する固定穴５４と傾斜面付突起部３４とがパチンと係合することにより、金属カバー５は、絶縁ハウジング３の上面に対して組み合わせ固定される。
【００１８】
カード収容空間３６に対して挿抜されるカードは、一般に使用されているメモリーカード等の平坦なＩＣカード等でありうる。一般に、このようなカードのロゴ等を表示した面とは反対側の面には、信号伝達に用いる信号接触部と、グランド接続に用いるグランド接触部が複数個配列されている。これら信号接触部とグランド接触部の数や位置は、一般に、規格によって定められているが、本実施例では、その一例として、９個の信号接触部と２個のグランド接触部とを有したカードに適用するものとしている。カードは、カード収容空間３６に対してコネクタ１の開放された前端面を通して挿抜される。
【００１９】
絶縁ハウジング３の後端面３７には、信号端子２１を配設するための７個の信号端子配列部３８と、グランド端子２２を配設するための２個のグランド端子配列部３９とが形成されている。これら信号端子配列部３８とグランド端子配列部３９は同一方向に配列されており、端子配列部を形成している。信号端子２１およびグランド端子２２は、これらの各信号端子配列部３８およびグランド端子配列部３９のそれぞれに、カード収容空間３６に対するＩＣカードの挿抜方向に沿って配列、固定されている。この固定のための構造については、圧入形式等、それ自体はよく知られたものでよいので、これ以上詳述しない。また、本実施例においては、信号端子２１、グランド端子２２のそれぞれ１個の先端が二又状に分かれているが既に知られたものなので、これ以上詳述しない。
【００２０】
金属カバー５は、例えば、ステンレス鋼板のような導電性およびバネ性のある金属の薄板を打ち抜き、折り曲げ加工することにより形成される。この金属カバー５は、一般に、衝撃保護やシールドとして機能するものであるが、本発明では、後述するように、ＩＣカードのグランド接続のためにも機能するものである。グランド接続をより有効なものとするために、金属カバー５の両側面５３の下端の適当位置に、このコネクタ１を搭載する回路基板に形成されたグランド導体と接触するグランド接続部５５を設けておくとよい。
【００２１】
金属カバー５の後端面５１には、本発明により、絶縁ハウジング３のグランド端子配列部３９に配設されたグランド端子２２に対応する位置にグランド接触部５７と、このグランド接触部５７の両側に保持部５８とが形成される。一方、金属カバー５の前端面５２は、ＩＣカード等メモリーカードの挿入のため略全ての部分が開放されている。また、金属カバー５の両側面５３は実質的に閉じた状態とされている。また、金属カバー５の上面５０の前方両側には、カード収容空間３６に挿入されたカードを固定するためのカード保持変位部５６が設けられている。これらカード保持変位部５６は、金属カバー５の一部をカード収容空間３６側へと切り起こす等により形成される。これらのカード保持変位部５６は、カード収容空間３６に挿入されたカードを、コネクタ１が搭載された回路基板の方へと抑え付けることにより、カードの抜け落ちを防止する機能を果たす。
【００２２】
次に、本発明により金属カバー５に設けられるグランド接触部５７および保持部５８と絶縁ハウジング３との詳細構造および作用について、特に、図３から図６を参照して説明する。図３は、図１および図２に関して説明してきたコネクタ１の絶縁ハウジング３と金属カバー５とを組み合わせた状態における、後端部のグランド端子２２の近傍部分を拡大して示す部分斜視図であり、図４は、金属カバー５のグランド接触部５７と絶縁ハウジング３に配設されるグランド端子２２との関係を分かり易くするための分解部品配列斜視図である。
【００２３】
図４によく示されるように、グランド接触部５７は、下方へと延びる弾性腕部５７Ａと、この弾性腕部５７Ａの先端に設けられた湾曲接触部５７Ｂとを備える形状とされている。一方、保持部５８は、下方へと延びる保持腕部５８Ａと、この保持腕部５８Ａの先端側面から延びる係合部５８Ｂとを備える形状とされている。また、グランド端子２２は、弾性腕部２２Ａと、この弾性腕部２２Ａの前端に設けられたカード接触部２２Ｂ（カード収容空間３６へ挿入されたカードのグランド接触部に接触する）と、この弾性腕部２２Ａの後端に設けられた接続部２２Ｃ（コネクタ１を回路基板に実装したときにその回路基板のグランド導体に接続される）と、この接続部２２Ｃにつながる湾曲部により与えられる金属カバー接触部２２Ｄと、この弾性腕部２２Ａの後端において金属カバー接触部２２Ｄの両側に設けられた位置規制部２２Ｅとを備える形状とされている。これらグランド接触部５７および保持部５８は、金属カバー５の後端部を所定形状に打ち抜き折り曲げ加工することにより形成されうる。一方、グランド端子２２は、導電性およびバネ性を有する金属材料の打ち抜き折り曲げ加工により形成されうる。
【００２４】
金属カバー５に設けたグランド接触部５７の機能は、絶縁ハウジング３に対して金属カバー５を後述するようにして組み付けるとき、図３によく示されるように、絶縁ハウジング３のグランド端子配列部３９に配設されたグランド端子２２の金属カバー接触部２２Ｄに対して、その湾曲接触部５７Ｂを弾性的に接触させることにより、グランド端子２２と金属カバー５との電気的接続を可能とすることである。このとき、グランド端子２２に設けられた位置規制部２２Ｅは、グランド接触部５７の湾曲接触部５７Ｂをグランド端子２２の金属カバー接触部２２Ｄへと案内すると共に位置規制する作用を果たす。
【００２５】
一方、金属カバー５に設けた保持部５８の機能は、絶縁ハウジング３に対して金属カバー５を後述するようにして組み付けるとき、図３によく示されるように、係合部５８Ｂが絶縁ハウジング３の後端面３７の信号端子配列部３８に形成された対応する係止部３８Ａに係合して、絶縁ハウジング３を抱え込むようにすることにより、湾曲接触部５７Ｂと金属カバー接触部２２Ｄとの接圧によって金属カバー５が絶縁ハウジング３から浮き上がるのを阻止し、また、リフロー加熱による反りや変形を防止することである。端子配列においてグランド端子２２が中央に配されている場合に、その配列領域に保持部を配することで前述の防止は一層有効になる。尚、係合とは常接していなくともよく、前述の浮き上がり等の不具合が発生する際に規制効果を生ぜしめるものも含む。
【００２６】
次に、前述したような構造を有する絶縁ハウジング３および金属カバー５を備えた小型メモリーカード用コネクタ１の組立て手順について、特に、図５および図６を参照して説明する。図５は、コネクタ１を、グランド端子２２のほぼ縦中心線に沿うようにして縦断した断面図であり、図５の（Ａ）は、絶縁ハウジング３に対して金属カバー５を組み付け始める段階を示し、図５の（Ｂ）は、絶縁ハウジング３に対する金属カバー５の組み付けが完了した状態を示している。なお、図５の（Ｂ）は、コネクタ１が回路基板上に実装され、コネクタ１のカード収容空間３６へカードが挿入された状態を理解し易くするため、仮想線にて回路基板ＰＣＢおよびカードＣを示している。図６は、コネクタ１を、金属カバー５の保持部５８の係止部５８Ｂを通る線に沿うようにして縦断した断面図であり、図６の（Ａ）は、図５の（Ａ）と同様に、絶縁ハウジング３に対して金属カバー５を組み付け始める段階を示し、図６の（Ｂ）は、図５の（Ｂ）と同様に、絶縁ハウジング３に対する金属カバー５の組み付けが完了した状態を示している。なお、図６の（Ｂ）は、図５の（Ｂ）と同様に、コネクタ１が回路基板上に実装され、コネクタ１のカード収容空間３６へカードが挿入された状態を理解し易くするため、仮想線にて回路基板ＰＣＢおよびカードＣを示している。
【００２７】
絶縁ハウジング３に対して金属カバー５を組み付ける前に、絶縁ハウジング３の各信号端子配列部３８およびグランド端子配列部３９に対してそれぞれ対応する信号端子２１およびグランド端子２２を圧入により正しい位置に配設する。このようにして信号端子２１およびグランド端子２２が配設された絶縁ハウジング３に対して金属カバー５を組み付けるには、先ず、図５の（Ａ）に示すように、金属カバー５に設けられた２つのグランド接触部５７の湾曲接触部５７Ｂがそれぞれ対応する絶縁ハウジング３のグランド端子配列部３９の開口３９Ｂ内に後方から入り込みそこに配設されたグランド端子２２の金属カバー接触部２２Ｄに押し付けられ、同時に、図６の（Ａ）に示すように、金属カバー５の各グランド接触部５７の両側に設けられた保持部５８の係合部５８Ｂがそれぞれ対応する信号端子配列部３８の開口３８Ｂ内に後方から入り込みその信号端子配列部３８の係止部３８Ａに係合するように、金属カバー５を絶縁ハウジング３に対して斜めに組み合わせる。そして、金属カバー５を湾曲接触部５７Ｂと金属カバー接触部２２Ｄとの接点および係合部５８Ｂと係止部３８Ａとの接点を支点として、図５の（Ａ）および図６の（Ａ）において矢印で示すような方向に回転させて、最終的に、金属カバー５の両側面５３の固定穴５４がそれぞれ対応する絶縁ハウジング３の両側面３０の傾斜面付突起部３４にパチンと係合するようにすればよい。図５の（Ｂ）および図６の（Ｂ）は、このようにして金属カバー５の絶縁ハウジング３に対する組み付け完了状態を示している。
【００２８】
図７は、本発明の別の実施例を示す図５の（Ｂ）と同様の図である。前述した実施例では、金属カバー５のグランド接触部５７の先端は、グランド端子２２の金属カバー接触部２２Ｄに接触する湾曲接触部５７Ｂとしたのであるが、この図７に示す実施例では、グランド接触部５７の先端を大きくグランド端子配列部３９の開口３９Ｂ内へと入り込みうるようにＬ字状接触部５７Ｃとし、その下方脚の中央部に打ち出し凸部５７Ｄを形成する。一方、グランド端子２２の弾性腕部２２Ａの後端部近くの対応する位置に、グランド接触部５７の打ち出し凸部５７Ｄがはまり込みうるような係止穴２２Ｆを形成しておく。この図７の実施例では、金属カバー５とグランド端子２２との電気的接続を、金属カバー５のグランド接触部５７のＬ字状接触部５７Ｃの下方脚とグランド端子２２の弾性腕部２２Ａの後端部との接触によって行う。このような実施例の構成によれば、金属カバー５とグランド端子２２との接触部がずれ難く接触信頼性を向上させることができる。更に、実装回路基板のハンダ量を増やす等すれば、コネクタ１を回路基板に実装する際のハンダ付けによってハンダを当該接触部までまわらせて接触信頼性を向上させることができる。尚、グランド接触部５７と金属カバー２２Ｄの係止はこの実施例に限らず変形可能なことは言うまでもない。例えば凸部と穴を逆に設けてもよく、両方に凸を設けてもよい。
【００２９】
図８は、本発明のさらに別の実施例を示す図６の（Ｂ）と同様の図である。前述した実施例では、絶縁ハウジング３に対して金属カバー５を組み付けるのに、金属カバー５を絶縁ハウジング３に対して斜めに組み付け、その後回転させるようにしているが、この図８に示す実施例では、金属カバー５を絶縁ハウジング３に対してほぼ真上から垂直に組み付けることができるようにしている。この図８の実施例では、前述の実施例のように金属カバー５の保持部５８の保持腕部５８Ａに係止部５８Ｂを設けるのでなく、金属カバー５の保持部５８の保持腕部５８Ａに係止穴５８Ｃを形成しておく。一方、絶縁ハウジング３の後端面３０の対応する位置に係止突起３８Ｃを設けておく。この図８の実施例では、金属カバー５を、絶縁ハウジング３に対してほぼ真上から押し込み、係止穴５８Ｃと係止突起３８Ｃとがはまり合い、同時に、金属カバー５の両側面５３の固定穴５４がそれぞれ対応する絶縁ハウジング３の両側面３０の傾斜面付突起部３４にパチンと係合するようにすることにより、金属カバー５を絶縁ハウジング３に対して組み付けることができる。また、グランド接触部と保持部を一体的に設けることも可能である。詳しくは、金属カバーの上面近くから下方に延びる保持腕部と、該保持腕部に設けられた係合部と弾性腕部を有し、該弾性腕部の下端部には接触部が設けられている。こうすることで保持腕部と弾性腕部の一部分を共用することができる。
【産業上の利用可能性】
【００３０】
金属カバーとグランド端子との接触を、端子配列部の開口内にて行うようにしたので、コネクタの外形寸法を増すことなく、信頼性の高い金属カバーとグランド端子との電気的接触を達成することができる。
【００３１】
金属カバーのグランド接触部の接圧による金属カバーと絶縁ハウジングとの離反を、金属カバーのグランド接触部の近傍に設けた保持部にて押さえ込むようにしているので、金属カバーとグランド端子との接触部の接圧によって金属カバーが絶縁ハウジングから浮き上がるようなことがなく、また、リフロー加熱による反りや変形を防止することができる。
【００３２】
金属カバーと絶縁ハウジングとの組み付けが非常に簡単に行え、ハンダ付け等の工程を必要としない。
【００３３】
これらのことにより、小型で安価で且つ接触部の信頼性の高いコネクタを提供でき、産業上の利用可能性の高いものである。
【図面の簡単な説明】
【００３４】
【図１】本発明の一実施例としての小型メモリーカード用コネクタの構造を示す分解部品配列斜視図である。
【図２】図１の小型メモリーカード用コネクタの組立て完了状態を示す斜視図である。
【図３】図１および図２のコネクタの後端部のグランド端子の近傍部分を拡大して示す部分斜視図である。
【図４】図１および図２のコネクタの金属カバーのグランド接触部と絶縁ハウジングに配設されるグランド端子との関係を分かり易く示す分解部品配列斜視図である。
【図５】図１および図２のコネクタの金属カバーと絶縁ハウジングとの組み合わせ手順を説明するための図である。
【図６】図１および図２のコネクタの金属カバーと絶縁ハウジングとの組み合わせ手順を説明するための図である。
【図７】本発明の別の実施例を示す図である。
【図８】本発明のさらに別の実施例を示す図である。
【符号の説明】
【００３５】
１  小型メモリーカード用コネクタ
３  絶縁ハウジング
５  金属カバー
２１  信号端子
２２  グランド端子
２２Ａ  弾性腕部
２２Ｂ  カード接触部
２２Ｃ  接続部
２２Ｄ  金属カバー接触部
２２Ｅ  位置規制部
３０  絶縁ハウジングの側面
３１  絶縁ハウジングの上面
３２  絶縁ハウジングの前端面
３３  絶縁ハウジングの下面
３４  傾斜面付突起部
３６  カード収容空間
３７  絶縁ハウジングの後端面
３８  信号端子配列部
３８Ａ  係止部
３８Ｂ  開口
３９  グランド端子配列部
３９Ｂ  開口
５０  金属カバーの上面
５１  金属カバーの後端面
５２  金属カバーの前端面
５３  金属カバーの側面
５４  固定穴
５５  グランド接続部
５６  カード保持変位部
５７  グランド接触部
５７Ａ  弾性腕部
５７Ｂ  湾曲接触部
５８  保持部
５８Ａ  保持腕部
５８Ｂ  係合部
【図１】
2006059692.tif 000003
【図２】
2006059692.tif 000004
【図３】
2006059692.tif 000005
【図４】
2006059692.tif 000006
【図５】
2006059692.tif 000007
【図６】
2006059692.tif 000008
【図７】
2006059692.tif 000009
【図８】
2006059692.tif 000010